(57)【要約】【課題】  簡素な構成により、薄板状物品をスムースにケースに投入すること。【解決手段】  集積物品のケース投入装置１００であって、把持装置４０により把持されて集積された複数の薄板状物品１をケース２に投入するに際し、ケース２の投入部２Ｃを拡開する拡開ガイド４３（拡開手段）を該把持装置４０に備えるもの。【選択図】  図４
2008230662.tif 000002
【特許請求の範囲】
【請求項１】
把持装置により把持されて集積された複数の薄板状物品をケースに投入するに際し、ケースの投入部を拡開する拡開手段を該把持装置に備える集積物品のケース投入装置。
【請求項２】
複数の薄板状物品を集積方向に押さえて幅寄せする幅寄せ手段を備える請求項１に記載の集積物品のケース投入装置。
【請求項３】
薄板状物品が柔軟体である請求項１又は２に記載の集積物品のケース投入装置。
【請求項４】
薄板状物品が枕状包装袋である請求項３に記載の集積物品のケース投入装置。
【請求項５】
複数の順に搬入される薄板状物品を順に受け入れて前進し、それら薄板状物品を互いに並立させて把持装置に供給する物品供給装置を有する請求項１〜４のいずれかに記載の集積物品のケース投入装置。
【請求項６】
把持装置を物品供給装置の前進に応じて移動可能にする請求項５に記載の集積物品のケース投入装置。
【請求項７】
把持装置により把持され、幅寄せ手段により幅寄せされた複数の薄板状物品をケースに投入可能にする請求項１〜６のいずれかに記載の集積物品のケース投入装置。
【発明の詳細な説明】
【技術分野】
【０００１】
本発明は集積物品のケース投入装置に関する。
【背景技術】
【０００２】
枕状包装袋等の薄板状物品のケース投入装置として、特許文献１に記載の如く、チャックとじょうご状ガイドを用いるものがある。複数の薄板状物品を把持して集積することにより、複数のチャックのそれぞれにより各薄板状物品を把持し、更に各チャックのＸ方向ピッチとＹ方向ピッチを狭くしてそれら薄板状物品を集積方向に幅寄せするものである。また、幅寄せされた薄板状物品をじょうご状ガイドによりケースの投入口に案内して投入するものである。
【特許文献１】特開2000-272605
【発明の開示】
【発明が解決しようとする課題】
【０００３】
特許文献１のチャックを用いるケース投入装置は、じょうご状ガイドを必要とするものであり、ケースの投入口にじょうご状ガイドを位置付けるスペースと時間と機構が必要になり、構造が複雑になり、生産性も低下する。
【０００４】
本発明の課題は、簡素な構成により、薄板状物品をスムースにケースに投入することにある。
【課題を解決するための手段】
【０００５】
請求項１の発明は、把持装置により把持されて集積された複数の薄板状物品をケースに投入するに際し、ケースの投入部を拡開する拡開手段を該把持装置に備える集積物品のケース投入装置である。
【発明を実施するための最良の形態】
【０００６】
ケース投入装置１００は、図１〜図４に示す如くに構成され、集積装置１０１により集積された複数の薄板状物品たる枕状包装袋１を一定の集積単位枚数分、例えば８個分ずつケース２に投入するものである。枕状包装袋１は、例えば合掌貼りの平袋（図１３（Ａ））、封筒貼りの平袋（図１３（Ｂ））であり、正面視の上下、中央のそれぞれに上シール部１Ａ、下シール部１Ｂ、正面シール部１Ｃを備え、それらのシール部１Ａ〜１Ｃを接着硬化により硬質とし、上シール部１Ａの下部に位置する両側縁部１Ｄ、１Ｄ（図３）を軟質にしている。枕状包装袋１は、硬質な物品、軟質な物品、液体製品等の包装に用いられるが、特に軟質な物品を包装している際は、枕状包装袋１が柔軟で、扱いが粗雑であると破損しやすい。軟質な物品の例として、ガム等の食品、携帯用ティッシュペーパー、ウェットシート等のシート製品、布製や不織布製のマスク、また、液体調味料、接着剤等の液体製品等が挙げられる。また、硬質な物品を包装している際も包装時の袋内の空間容積が大きいときは、枕状包装袋１は容易に変形し易く、柔軟な状態にあると言える。ケース２は、例えば段ボール箱からなり、側板２Ａ、中仕切板２Ｂにより複数に区画された袋投入部２Ｃを備える。
【０００７】
尚、ケース投入装置１００は、ガセット袋（図１３（Ｃ））、四方シール袋（図１３（Ｄ））の如くの薄板状物品をケース２に投入することもできる。
【０００８】
ケース投入装置１００の集積装置１０１は、袋搬入装置１０、袋供給装置２０、移動装置３０、把持装置４０を有する。
【０００９】
袋搬入装置１０は、ベルトコンベヤ１１からなり、複数の枕状包装袋１をそれらの正面又は背面がコンベヤ面に載置される縦列状態で連続的に搬入する。
【００１０】
袋供給装置２０は、サーボモータにより間欠（連続でも可）駆動されるフィン付コンベヤ２１からなる。フィン付コンベヤ２１は、袋搬入装置１０から順に搬入される複数の枕状包装袋１のそれぞれを、相隣るフィン２２、２２の間に順に受入れて前進し、それら枕状包装袋１を一定の集積単位枚数分、例えば８個分互いに並立させて（フィン付コンベヤ２１の周回軌跡のうちの上面側で起立するフィン２２、２２の間で枕状包装袋１も起立する）、フィン付コンベヤ２１の上方の把持装置４０に供給する。尚、袋搬入装置１０のベルトコンベヤ１１から袋供給装置２０のフィン付コンベヤ２１への袋受け渡し領域に、袋検出センサ付シュート１２（不図示）を設置し、１個の枕状包装袋１がベルトコンベヤ１１からフィン付コンベヤ２１のフィン２２、２２の間に送り込まれたことをシュート１２の袋検出センサが検出する度に、フィン付コンベヤ２１を１ピッチ前進させることができる。
【００１１】
移動装置３０は、ロボット３１からなる。ロボット３１に把持装置４０を吊下げ支持し、把持装置４０をＸ軸、Ｙ軸、Ｚ軸（鉛直軸）の直交３方向に直線移動させるとともに、Ｚ軸まわりに回転させる。移動装置３０は、袋供給装置２０のフィン付コンベヤ２１の上方の原位置に配置されている把持装置４０を、フィン付コンベヤ２１の側に近づけるようにＺ軸方向に下降させ、かつフィン付コンベヤ２１の前進（Ｘ軸方向）に応じてＸ軸方向に移動させる。また、移動装置３０は、フィン付コンベヤ２１により並立された複数の枕状包装袋１を把持した把持装置４０を、フィン付コンベヤ２１の側からＺ軸方向に上昇させ、更にケース２への投入位置の上方に位置付けるようにＹ軸方向に移動させ、かつ90度回転させてから、ケース２への投入位置に位置付けるようにＺ軸方向に下降させる。そして、移動装置３０は、複数の枕状包装袋１をケース２に投入した把持装置４０を、ケース２への投入位置からＺ軸方向に上昇させ、90度反転させながら、Ｘ軸及びＹ軸方向に移動させて原位置に戻す。
【００１２】
把持装置４０は、原位置においてＹ軸方向で相対する把持バー４１、４１と、この把持バー４１、４１を開閉（接近、離隔）させるバー開閉エアシリンダ４２、４２を備える。把持バー４１は、エアシリンダ４２のピストンロッド先端の取付板４２Ａに着脱可能に取付けられる。相対する把持バー４１、４１は、エアシリンダ４２を全開ストロークから全閉ストロークに作動させることにより、全開位置から全閉位置に閉じられ、枕状包装袋１の正面視で硬質上シール部１Ａの下部に位置する、軟質の両側縁部１Ｄ、１Ｄを側方から押し込み、硬質上シール部１Ａの直下にて把持する。把持バー４１は長尺バーからなり、一定の集積単位枚数分、例えば８個の枕状包装袋１を互いに並立させた状態で一度に押し込み把持する。尚、エアシリンダ４２は、把持バー４１を全閉位置から開いて枕状包装袋１の把持を解除し、枕状包装袋１をケース２に投入するとき、中間ストロークに停止して後述する拡開ガイド４３を一定の拡開位置に位置付ける。
【００１３】
把持装置４０は、相対する把持バー４１、４１のそれぞれの下方に相対する拡開ガイド４３、４３を備える。相対する把持バー４１、４１により把持されて集積された複数の枕状包装袋１をケース２に投入するに際し、相対する拡開ガイド４３、４３は一定の拡開位置に位置付けられ、ケース２の袋投入部２Ｃの投入幅を形成する側板２Ａ、中仕切板２Ｂを外方に開いて拡開する。拡開ガイド４３は、エアシリンダ４２の取付板４２Ａに着脱可能に取付けられ、前述の如くエアシリンダ４２を中間ストロークに停止させることにて一定の拡開位置に位置付けられる。
【００１４】
把持装置４０は、原位置においてＸ軸方向で相対する幅寄せ具４４、４４と、この幅寄せ具４４、４４を開閉（接近、離隔）させる幅寄せエアシリンダ４５、４５を備える。幅寄せ具４４は、エアシリンダ４５のピストンロッド先端の取付板４５Ａに着脱可能に取付けられる。相対する幅寄せ具４４、４４は、エアシリンダ４５を全開ストロークから全閉ストロークに作動させることにより、全開位置から全閉位置に閉じられ、複数の枕状包装袋１を正面から集積方向に押さえて幅寄せする。尚、エアシリンダ４５は、幅寄せ具４４を全閉位置から開いて枕状包装袋１の幅寄せを解除し、枕状包装袋１をケース２に投入するとき、中間ストロークに停止して相対する幅寄せ具４４、４４により枕状包装袋１をケース２に投入ガイドできるようにそれら幅寄せ具４４を一定の投入ガイド位置に位置付ける。
【００１５】
ケース投入装置１００の集積装置１０１は、把持装置４０により上述の如くに把持され、幅寄せ具４４により幅寄せされた複数の枕状包装袋１をケース２に投入可能にする。具体的には、以下の手順による。
【００１６】
(1)第１工程（図５）
複数の枕状包装袋１を袋搬入装置１０のベルトコンベヤ１１により順に搬入し、それら枕状包装袋１をシュート１２から袋供給装置２０に受け渡す。袋供給装置２０は、フィン付コンベヤ２１の相隣るフィン２２、２２の間にそれら枕状包装袋１を順に受け入れて前進し、それら枕状包装袋１を互いに並立させ、フィン付コンベヤ２１の上方の把持装置４０に供給する。
【００１７】
(2)第２工程（図６）
上述(1)において、シュート１２の袋検出センサが１個の枕状包装袋１を検出する度にフィン付コンベヤ２１を１ピッチ前進させる。そして、シュート１２が一定の積層単位枚数分Ａ（図６）たる例えば８個分の枕状包装袋１を連続して検出カウントしたら、相隣るフィン２２、２２の間に枕状包装袋１を入れない空所Ｂ（図６）を１ピッチ設けることを繰り返す。
【００１８】
(3)第３工程（図７）
移動装置３０により、袋供給装置２０のフィン付コンベヤ２１の上方の原位置に配置されている把持装置４０を、フィン付コンベヤ２１の側に近づけるようにＺ軸方向に下降させ、かつフィン付コンベヤ２１の前進（Ｘ軸方向）に応じてＸ軸方向に同期させながら移動する。把持装置４０はフィン付コンベヤ２１と完全に同期する必要はなく、フィン付コンベヤ２１が１ピッチ前進するに応じて把持装置４０も同方向に同距離移動させれば足りる。
【００１９】
(4)第４工程（図８）
把持装置４０のバー開閉エアシリンダ４２を全開ストロークから全閉ストロークに作動させることにより、相対する把持バー４１、４１を全開位置から全閉位置に閉じ、フィン付コンベヤ２１の相隣るフィン２２、２２の間に受け入れられて一定の集積単位枚数をなすように互いに並立している例えば全８個の枕状包装袋１の両側縁部１Ｄ、１Ｄを側方から一度に押し込み把持する（図３）。全閉位置に設定された把持バー４１、４１の間隔は枕状包装袋１の上シール部１Ａの全長より短く、それらの把持バー４１、４１により全８個の枕状包装袋１のそれら硬質の上シール部１Ａを引掛け保持する。
【００２０】
(5)第５工程（図９）
一定の集積単位枚数例えば全８個の枕状包装袋１を把持した把持装置４０を、移動装置３０により、フィン付コンベヤ２１の側からＺ軸方向に上昇させる。
【００２１】
(6)第６工程（図１０）
把持装置４０の幅寄せエアシリンダ４５を全開ストロークから全閉ストロークに作動させることにより、相対する幅寄せ具４４、４４を全開位置から全閉位置に閉じ、一定の集積単位枚数例えば全８個の枕状包装袋１を正面から集積方向に押さえて幅寄せする。
【００２２】
(7)第７工程（図１１）
一定の集積単位枚数例えば全８個の枕状包装袋１を把持バー４１により把持し、かつ幅寄せ具４４により幅寄せした把持装置４０を、移動装置３０により、ケース２への投入位置の上方に位置付けるようにＹ軸方向に移動させ、かつ90度回転させてから、ケース２への投入位置に位置付けるようにＺ軸方向に下降させる。把持装置４０のバー開閉エアシリンダ４２を全閉ストロークから中間ストロークにまで開いて停止し、相対する把持バー４１、４１による枕状包装袋１の把持を解除し、かつ相対する把持バー４１、４１の下方にて相対する拡開ガイド４３、４３を一定の拡開位置に位置付けて、ケース２の袋投入部２Ｃの投入幅を形成する側板２Ａ、中仕切板２Ｂを外方に開いて拡開し、一定の集積単位枚数例えば全８個の枕状包装袋１をケース２の袋投入部２Ｃに投入する（図４）。このとき、把持装置４０の幅寄せエアシリンダ４５を全閉ストロークから中間ストロークにまで開いて停止し、相対する幅寄せ具４４、４４の幅寄せを解除するとともに、それら幅寄せ具４４、４４を一定の投入ガイド位置に位置付け、それら幅寄せ具４４、４４によりそれらの枕状包装袋１をケース２の袋投入部２Ｃに投入ガイドする。
【００２３】
尚、中仕切板２Ｂに区切られ隣接する領域に、既に集積単位枚数の枕状包装袋１が投入済みの場合は、投入済の枕状包装袋１が変形していることにより中仕切板２Ｂの位置が所定位置より大きくずれていることもある。そのような場合には、拡開ガイド４３、４３がより効果的に作用する（図４）。
【００２４】
また、ここで説明した把持装置４０の90度回転しての投入は、ケース２への投入方法の一例にすぎない。投入位置、回数、角度等は、ケース２への枕状包装袋１の個数、列数、向き等の定められた仕様に基づき任意に設定される。
【００２５】
その後、把持装置４０のバー開閉エアシリンダ４２、幅寄せエアシリンダ４５を全開ストロークに戻し、相対する把持バー４１、４１（拡開ガイド４３、４３）を全開位置に戻し、相対する幅寄せ具４４、４４を全開位置に戻す。
【００２６】
(8)第８工程（図１２）
一定の集積単位枚数例えば全８個の枕状包装袋１をケース２の袋投入部２Ｃに投入した把持装置４０を、移動装置３０により、ケース２への投入位置からＺ軸方向に上昇させ、90度反転させながら、Ｘ軸及びＹ軸方向に移動させて原位置に戻す。
【００２７】
本実施例によれば以下の作用効果を奏する。
（請求項１）
(a)ケース投入装置１００が把持装置４０により把持されて集積された複数の枕状包装袋１をケース２に投入するに際し、ケース２の袋投入部２Ｃを拡開する拡開ガイド４３（拡開手段）を該把持装置４０に備えるようにした。従って、把持装置４０により複数の枕状包装袋１をケース２に投入するに際し、把持装置４０に備えてある拡開ガイド４３を簡易にケース２の袋投入部２Ｃに位置付けることができ、簡素な構成により、枕状包装袋１を拡開されたケース２の袋投入部２Ｃに案内して投入できる。また、拡開ガイド４３により、枕状包装袋１を傷めることなくスムースにケース２に投入できる。
【００２８】
（請求項２）
(b)ケース投入装置１００が複数の枕状包装袋１を集積方向に押さえて幅寄せする幅寄せ具４４（幅寄せ手段）を備える。複数の枕状包装袋１の幅寄せ間隔を小さくし、それら枕状包装袋１を高い集積密度でケース２に投入できる。
【００２９】
（請求項３、４）
(c)枕状包装袋１の如くの柔軟体からなる薄板状物品を上述(a)、(b)によりスムースにケース２に投入できる。柔軟体である薄板状物品としては、ゴムシート、ウレタンシート、スポンジシート、ウェットシート集積体等、枕状包装体となっている物品が挙げられる。
【００３０】
（請求項５）
(d)ケース投入装置１００が袋供給装置２０を用いることにより、袋供給装置２０が複数の順に搬入される枕状包装袋１を順に受け入れて前進し、それら枕状包装袋１を互いに並立させて把持装置４０に供給することができる。
【００３１】
（請求項６）
(e)ケース投入装置１００が把持装置４０を袋供給装置２０の前進に応じて移動可能にすることにより、袋供給装置２０に先行して並立させた一定の集積単位枚数、例えば全８個の枕状包装袋１を把持装置４０により把持作業すると同時に、新たに後続して搬入される枕状包装袋１を袋供給装置２０に順に受け入れでき、ケース投入装置１００の生産性を向上できる。
【００３２】
（請求項７）
(f)ケース投入装置１００が把持装置４０の把持バー４１により把持され、幅寄せ具４４により幅寄せされた一定の集積単位枚数、例えば全８個の枕状包装袋１をケース２に投入することにより、一定の集積単位枚数、例えば全８個の枕状包装袋１をケース２内に高密度で集積できる。
【図面の簡単な説明】
【００３３】
【図１】図１はケース投入装置を示す側面図である。
【図２】図２は集積装置を示す斜視図である。
【図３】図３は把持装置による把持状態を示す正面図である。
【図４】図４は把持装置の把持解除状態を示す正面図である。
【図５】図５はケース投入装置の第１工程を示す斜視図である。
【図６】図６はケース投入装置の第２工程を示す斜視図である。
【図７】図７はケース投入装置の第３工程を示す斜視図である。
【図８】図８はケース投入装置の第４工程を示す斜視図である。
【図９】図９はケース投入装置の第５工程を示す斜視図である。
【図１０】図１０はケース投入装置の第６工程を示す斜視図である。
【図１１】図１１はケース投入装置の第７工程を示す斜視図である。
【図１２】図１２はケース投入装置の第８工程を示す斜視図である。
【図１３】図１３は袋を示す模式図である。
【符号の説明】
【００３４】
１  枕状包装袋（薄板状物品）
２  ケース
２Ｃ  袋投入部
１０  袋搬入装置
２０  袋供給装置
３０  移動装置
４０  把持装置
４３  拡開ガイド（拡開手段）
４４  幅寄せ具（幅寄せ手段）
【図１】
2008230662.tif 000003
【図２】
2008230662.tif 000004
【図３】
2008230662.tif 000005
【図４】
2008230662.tif 000006
【図５】
2008230662.tif 000007
【図６】
2008230662.tif 000008
【図７】
2008230662.tif 000009
【図８】
2008230662.tif 000010
【図９】
2008230662.tif 000011
【図１０】
2008230662.tif 000012
【図１１】
2008230662.tif 000013
【図１２】
2008230662.tif 000014
【図１３】
2008230662.tif 000015